(57)【特許請求の範囲】
【請求項１】
冷蔵庫扉体の庫内側を構成する扉内板と、
この扉内板の両側から立設した縦方向の土手と、
それぞれの縦方向の土手内壁の前面から扉内板後壁に向かって設けられ、前記土手内壁を所定深さ落し込ませた土手段差部と、
前記扉内板の後壁から立設し、前記土手段差部の下端付近から横に延びた横方向の土手と、
この横方向の土手の上面に設けられた突起と、
上面及び背面が開放した箱形状であり、底面に係止用凹溝を有し、前記土手段差部の前面から挿入され、前記横方向の土手の突起が該係止用凹溝に嵌めこまれて係止されるポケットと、
を備えたことを特徴とする冷蔵庫扉。
【請求項２】
前記土手段差部の深さを、前記ポケットの側面部の厚さと同程度としたことを特徴とする請求項１記載の冷蔵庫扉。
【請求項３】
前記土手段差部の後端縁部に係合用傾斜リブを設けるとともに、前記ポケット側面部の後端縁部に上下方向に係合用傾斜面を設け、前記ポケットが前記土手段差部に挿入された状態で、前記係合用傾斜面は前記係合用傾斜リブに係合されることを特徴とする請求項１記載の冷蔵庫扉。
【請求項４】
前記土手段差部の上辺に係合用上辺傾斜リブを設けるとともに、前記ポケット側面部の上辺に係合用上辺傾斜面を設け、前記ポケットが前記土手段差部に挿入された状態で、前記係合用上辺傾斜面は前記係合用上辺傾斜リブに係合されることを特徴とする請求項１記載の冷蔵庫扉。
【請求項５】
前記ポケット底面の係止用凹溝と前記ポケット後端との間に、前記横方向の土手に設けられた突起が前記ポケットに当接するのを防止する突起当接防止溝を設けたことを特徴とする請求項１記載の冷蔵庫扉。
【請求項６】
前記ポケットは前記係止用凹溝を左右に有し、前記ポケット底面後端の該左右の係止用凹溝間の中央部付近に係合用傾斜面を設けるとともに、前記扉内板に前記ポケット底面後端とほぼ面一となるように形成された位置決め用段部に浮き上り防止リブを設け、前記係合用傾斜面は前記浮き上り防止リブに係合されることを特徴とする請求項１記載の冷蔵庫扉。
【請求項７】
冷蔵庫扉体の庫内側を構成する扉内板と、
この扉内板の両側から立設した縦方向の土手と、
それぞれの縦方向の土手内壁の前面から扉内板後壁に向かって設けられ、前記土手内壁を所定深さ落し込ませた土手段差部と、
この土手段差部に連なり、前記扉内板の後壁を所定深さ落し込ませた背面段差部と、
前記扉内板の後壁から立設し、前記縦方向の土手に連なり、土手段差部の下端付近から横に延びた横方向の土手と、
この横方向の土手に設けられたストッパー係合用凹部と、
上面に係止用突起を有し、このストッパー係合用凹部に係合する、弾性変形の容易な樹脂製のストッパーと、
上面が開放した箱形状であり、底面に係止穴を有し、前記土手段差部の前面から挿入され、前記ストッパーの係止用突起が該係止穴に嵌めこまれて係止され、背面部が前記背面段差部まで挿入されるポケットと、
を備えたことを特徴とする冷蔵庫扉。
【請求項８】
前記扉内板の断熱材側に、該扉内板と一体に断面形状がＬ字状のアンカー片を形成したことを特徴とする請求項１又は請求項７記載の冷蔵庫扉。
【請求項９】
前記扉内板の縦方向の土手内壁の断熱材側にアンカーリブを設けたことを特徴とする請求項１又は請求項７記載の冷蔵庫扉。
【請求項１０】
前記扉内板の外周フランジの断熱材側に凹状溝を形成したことを特徴とする請求項１又は請求項７記載の冷蔵庫扉。
【請求項１１】
前記扉内板の外周フランジの断熱材側にパッキン部を形成したことを特徴とする請求項１又は請求項７記載の冷蔵庫扉。
【請求項１２】
前記扉内板の断熱材側に切り起こし部を有する補強鉄板を設け、この切り起こし部を前記アンカー片に係合させたことを特徴とする請求項９記載の冷蔵庫扉。
【発明の詳細な説明】
【０００１】
【発明の属する技術分野】
この発明は冷蔵庫の扉の内面に形成された陥没部の内側面に、食品等を収容する、収容容器を支持するための冷蔵庫扉の収容容器支持構造に関するものである。
【０００２】
【従来の技術】
図２６、図２７は例えば特開昭６１−８６５７５号公報に示された、従来の冷蔵庫の扉棚の要部斜視図および、要部断面図であり、図において、１は冷蔵庫の扉本体、２、３は上記扉本体を構成する扉外板と扉内板を示す。４は断熱材、５は取付ネジで、扉内板３を扉外板２に固定している。６は主に卵あるいは、缶詰等、比較的背の低い食品を収納するポケットで、後述するように、図２８、図２９に示すような方法で、扉内板３に取付けられている。前記扉内板３は、スチロール又はＡＢＳ樹脂等のプラスチック板を真空成形加工したもので、両側に縦方向の土手３ａが形成されている。
次に図２８、図２９により、ポケット６の取付構造を説明すると、前記扉内板土手３ａにはその内側壁に係止突起７及び該係止突起７のやや上方位置に側面突起８が設けられていると共に、扉内板３の後壁には、横方向の土手３ｂが形成されている。９はポケット６の側面に設けられた係止溝で、前記扉内板土手の係止突起７に嵌合する。６ａはポケット６の側面フランジで係止突起７のやや上方位置に設けられた側面突起８に図２７に示す如く係止する。更に１０はポケット６の両端に形成された裏側に肉ヌスミ部用凹１０ａを形成したツバ部で、ポケット６の係止溝９を扉内板土手３ａの係止突起７に嵌合させた時、該ツバ部１０が扉内板３の土手先端３ｃと当接するよう構成されている。
尚、前述のポケット６を扉内板３に取付けるためには、図２７に示す位置よりポケット６を上方に置いて、ポケットのツバ部１０を扉内板の土手先端３ｃに当接させた状態のまま下方に移動して扉内板土手３ａの内側壁に設けられた側面突起８を弾性変形させながら、ポケット６を図２９に示す位置まで下げる。
【０００３】
【発明が解決しようとする課題】
従来の冷蔵庫扉のポケットの支持構造は以上のように構成されているので、ポケットを支持するためのポケットの係止溝９および、側面フランジ６ａの板厚分食品収容側へ飛び出すので、土手３ａ間の内側間の本来、食品収容可能な範囲を、無駄なスペースと化しているとともに、扉内板土手３ａとの当接用ツバ部１０は肉ヌスミ用凹１０ａが形成されているので、近年流行の食品の視認性向上、ワイド感向上としての透明樹脂化した場合、内ヌスミ用凹１０ａが透けて見えてしまい、意匠性が低下する等の問題点があった。
【０００４】
この発明は上記のような問題点を解消するためになされたもので、冷蔵庫扉のポケットを支持するための係止部を扉内板内側の食品収容側へ飛び出すこと無く、食品収容部を有効に活用できるとともに、近年流行のポケットの透明樹脂化に伴なう意匠性の低下を防ぐとともに、ポケットの着脱を簡単に確実に行なうことができる、冷蔵庫扉の収容容器支持構造の提供を目的とする。
【０００５】
【課題を解決するための手段】
この発明に係る冷蔵庫扉は、冷蔵庫扉体の庫内側を構成する扉内板と、この扉内板の両側から立設した縦方向の土手と、それぞれの縦方向の土手内壁の前面から扉内板後壁に向かって設けられ、土手内壁を所定深さ落し込ませた土手段差部と、扉内板の後壁から立設し、土手段差部の下端付近から横に延びた横方向の土手と、この横方向の土手の上面に設けられた突起と、上面及び背面が開放した箱形状であり、底面に係止用凹溝を有し、土手段差部の前面から挿入され、横方向の土手の突起が係止用凹溝に嵌めこまれて係止されるポケットとを備えたことを特徴とする。
【０００６】
また、この発明に係る冷蔵庫扉は、土手段差部の深さを、ポケットの側面部の厚さと同程度としたことを特徴とする。
【０００７】
また、この発明に係る冷蔵庫扉は、土手段差部の後端縁部に係合用傾斜リブを設けるとともに、ポケット側面部の後端縁部に上下方向に係合用傾斜面を設け、ポケットが土手段差部に挿入された状態で、係合用傾斜面は係合用傾斜リブに係合されることを特徴とする。
【０００８】
また、この発明に係る冷蔵庫扉は、土手段差部の上辺に係合用上辺傾斜リブを設けるとともに、ポケット側面部の上辺に係合用上辺傾斜面を設け、ポケットが土手段差部に挿入された状態で、係合用上辺傾斜面は係合用上辺傾斜リブに係合されることを特徴とする。
【０００９】
また、この発明に係る冷蔵庫扉は、ポケット底面の係止用凹溝と前記ポケット後端との間に、前記横方向の土手に設けられた突起が前記ポケットに当接するのを防止する突起当接防止溝を設けたことを特徴とする請求項１記載の冷蔵庫扉。
【００１０】
また、この発明に係る冷蔵庫扉は、ポケットは係止用凹溝を左右に有し、ポケット底面後端の左右の係止用凹溝間の中央部付近に係合用傾斜面を設けるとともに、扉内板にポケット底面後端とほぼ面一となるように形成された位置決め用段部に浮き上り防止リブを設け、係合用傾斜面は浮き上り防止リブに係合されることを特徴とする。
【００１１】
また、この発明に係る冷蔵庫扉は、冷蔵庫扉体の庫内側を構成する扉内板と、この扉内板の両側から立設した縦方向の土手と、それぞれの縦方向の土手内壁の前面から扉内板後壁に向かって設けられ、土手内壁を所定深さ落し込ませた土手段差部と、この土手段差部に連なり、扉内板の後壁を所定深さ落し込ませた背面段差部と、扉内板の後壁から立設し、縦方向の土手に連なり、土手段差部の下端付近から横に延びた横方向の土手と、この横方向の土手に設けられたストッパー係合用凹部と、上面に係止用突起を有し、このストッパー係合用凹部に係合する、弾性変形の容易な樹脂製のストッパーと、上面が開放した箱形状であり、底面に係止穴を有し、土手段差部の前面から挿入され、ストッパーの係止用突起が係止穴に嵌めこまれて係止され、背面部が背面段差部まで挿入されるポケットとを備えたことを特徴とする。
【００１３】
また、この発明に係る冷蔵庫扉は、扉内板の断熱材側に、扉内板と一体に断面形状がＬ字状のアンカー片を形成したことを特徴とする。
【００１４】
また、この発明に係る冷蔵庫扉は、扉内板の縦方向の土手内壁の断熱材側にアンカーリブを設けたことを特徴とする。
【００１５】
また、この発明に係る冷蔵庫扉は、扉内板の外周フランジの断熱材側に凹状溝を形成したことを特徴とする。
また、この発明に係る冷蔵庫扉は、扉内板の外周フランジの断熱材側にパッキン部を形成したことを特徴とする。
また、この発明に係る冷蔵庫扉は、扉内板の断熱材側に切り起こし部を有する補強鉄板を設け、この切り起こし部をアンカー片に係合させたことを特徴とする。
【００１６】
【発明の実施の形態】
実施の形態１．
以下、この発明の一実施例を説明する。図１は、冷蔵室扉及び、この内面に支持されるポケットの要部断面斜視図。図２は図１のＡ−Ａ断面図で、図３は図１の正面図であり、図４は図１のポケットを取り外した状態の要部断面斜視図。図５はポケットを背面から見た要部断面斜視図である。
１は冷蔵庫扉本体、２は扉外板、３は扉内板であり、ＰＰまたはＡＢＳ樹脂等により射出成形または射出圧縮成形により形成されている。４はポリウレタンフォーム等による現場発泡した断熱材である。１１はドアキャップで、扉本体１の扉内板３側にドアガスケット（図示せず）を嵌合係止する押出成形によるドアサッシ１２を保持するよう形成するとともに、扉外板２端面を覆うよう形成されている。冷蔵庫扉本体１は上述の部品により構成され、断熱材４の接着効果により各部品が強固に固着されている。
扉内板３は通常ＡＢＳ等の真空成形にて形成されるが、真空成形ではシートを加熱して、真空圧による吸引力で、金型へシートを密着して成形する方式のため、シャープな形状や、シート厚さ以上の形状は形成不可能であり、この発明においては、射出成形または射出圧縮成形加工により細部形状を作成可能としている。３ａは扉内板３の両側に縦方向に形成した土手である。３ｆは扉内板後壁であり、該後壁３ｆより横方向の土手３ｂが一体に形成されている。３ｃは土手先端である。３ｄは土手内壁であり、土手先端３ｃの厚さを薄くスマートに見せるための傾斜壁３ｅが形成されている。
６はポケットであり、６ａは側面フランジ、６ｂは前面フランジ、６ｃは側面フランジ内壁、６ｄはポケット底面である。該ポケット底面６ｄの扉内板側にはポケット係止用凹溝１６が形成されている。側面フランジ６ａ後端縁部にはポケット６の上下方向に係合用傾斜面１７が形成されている。６ｅはポケット底面後端である。１３はポケット側面フランジ６ａの肉厚分とほぼ同一となるよう扉内板３の土手内壁３ｄを落し込ませた扉内板側面部の段落溝である土手段差部であり、該段差部１３の後端には、ポケット６の上下方向に係合用傾斜面１７と係合するよう扉内板の段落溝の後端縁部に係合用傾斜リブ１４が併設されている。１５は扉内板３のポケット下面側の横方向の土手３ｂに設けた台形状突起であり、ポケット底面６ｄの裏面に形成したポケット係止用凹溝１６に係止するよう配置されている。３ｇはポケット底面後端６ｅとほぼ面一となるよう形成された、位置決め用段部である。
次にポケット６の扉内板３への装着について説明する。ポケット６を手に取り、側面フランジ６ａを扉内板３の土手段差部１３に沿わせるよう、前方より扉内板後壁３ｆ側に挿入する。ポケット下面の扉内板側のポケット底面後端縁部６ｅが扉内板のポケット下面側の台形状突起１５と当接すると、さらに強い力でポケット６を挿入することで、ポケット下面後端６ｅおよびポケット下面６ｄが、台形状突起１５に乗り上げるよう弾性変形し、ポケット下面の扉内板側の係止用凹溝１６に台形状突起１５がはめ込まれると同時に、ポケット底面６ｄの弾性変形が解除され、ポケット係止用凹溝１６と、台形状突起１５が係止支持される。また、係合用傾斜面１７は係合用傾斜リブ１４に同時に係合されるよう形成されており、ポケット６の支持構造として左右の側面フランジ６ａとポケット底面６ｄの３面で係止されるとともに、食品荷重に対してのポケット６のガタツキは、ポケット６の側面フランジ６ａを扉内板３の土手段差部１３に適度なクリアランスを保持しながら挿入嵌合しているので、ポケット６の全高を支持面とすることにより支持強度を向上している。次にポケット６の外し方について説明する。ポケット６の支持構造として、手前方向の係止はポケット底面６ｄのポケット係止用凹溝１６と台形状突起１５の係合のみのため、ポケット底面６ｄを、手前より指等で、上方に弾性変形させ、台形状突起１５の係合を解除した状態で、ポケット６を手前に引き抜くことにより、ポケットの支持が解放される。
【００１７】
本発明は以上のような冷蔵庫扉の収容容器支持構造を形成しているので、扉開閉時の回転モーメントにより、食品荷重がポケット前面フランジ６ｂに当接し、前方向にたわむとその反動で側面フランジ６ａが、内側方向にたわもうとするが、係合用傾斜面１７が、係合用傾斜リブ１４に係止されているので、外れることなく安定に固着される。また土手内壁３ｄとポケット６の側面フランジ内壁６ｃがほぼ面一に形成されているので、食品収納有効面が、扉内板３の左右の土手内壁３ｄ間全幅を利用でき、デッドスペースが発生しない。また従来のポケットのようにツバ部が無いため、透明樹脂によるポケットとした場合でも、意匠性が低下することなく、かつ、前述のようにポケット側面フランジ内壁６ｃと扉内板土手内壁３ｄがほぼ面一に形成されているので、清掃が容易等の効果を奏する。
【００１８】
実施の形態２．
なお、上記実施の形態では扉内板３の土手段差部１３の後端にのみ係合用傾斜リブ１４を設けたものを示したが、図６〜図８の如く土手段差部上辺１３ａに係合用上辺傾斜リブ１８を設け、相手側ポケット６の側面フランジ６ａの上辺に、係合用上辺傾斜面１９を設けても良い。この効果として、ポケット６を扉内板３へ装着する際、土手段差部１３に沿わせて前方より、ポケット６の側面フランジ６ａを装入する時、側面フランジ６ａ後端の係合用上辺傾斜面１９の傾斜分、側面フランジ６ａの高さが低いので、係合用傾斜面１７が、扉内板３の係合用傾斜リブ１４の位置まで挿入して初めて支持されるので、挿入時の挿入力が少なくて済むと共に、ポケット底面後端６ｅが、台形状突起１５に乗り上げるよう弾性変形する間隔が少ないため、ポケット６の着脱に伴なう台形状突起１５の摩耗の低下が図れる。
【００１９】
実施の形態３．
また、ポケット下面６ｄのポケット係止用凹溝１６と、ポケット下面後端６ｅ間に台形状突起当接防止溝２０を設けてもよい。よって、実施の形態２にて述べた、ポケット６の装着時の挿入力がより少なくて済む等の効果を奏する。
【００２０】
実施の形態４．
また、ポケット６のポケット下面後端６ｅに左右のポケット係止用凹溝１６間の中央部付近に係合用傾斜面２１を設けるとともに相対応する扉内板３のポケット下面側に位置決め用段差部３ｇに、３角状の浮き上り防止リブ２２を設けて係止させてもよく、ポケット６のポケット下面６ｄの射出成形時のソリ等による上方向へのハネ上がりによるポケット係止溝１６への係合を確実に矯正する等の効果を奏する。
【００２１】
実施の形態５．
上記実施の形態では、卵、缶詰め等比較的背の低い小物食品等の収容容器の支持構造について述べたが、瓶類等、背の高い、質量の大きな食品を収容する、いわゆるボトルポケットの支持構造について説明する。図９、図１０において２３はボトルポケットで、側面フランジ２３ａと前面フランジ２３ｂと背面フランジ２３ｆにより４辺が連結した容器状に形成されている。２３ｄはボトルポケット下面で、ポケット係止穴２４が穿設されている。２３ｃは側面フランジ内壁である。２３ｅは背面フランジ後端である。扉内板３の扉内板後壁３ｆには土手３ａにある土手段差部１３と同様に背面段差部２５が連通して形成されている。２６は上記扉内板のポケット下面側の横方向の土手３ｂに形成された、ストッパー係合用凹部であり、抜け止め用リブ２６ａおよび横方向の土手３ｂの土手先端３ｃには角穴２６ｂが穿設されている。２７は上記ポケット下面の扉内板側に設けられた、ボトルポケット２３の係合用のストッパーであり、上述のストッパー係合用凹部２６に嵌着し、脱落しないようフック２７ａが前方に形成され、角穴２６ｂに係止される。２７ｃは抜け止め用リブ２６ａと当接するよう配設した支持リブである。２７ｂはボトルポケット底面２３ｄに穿設したポケット係止穴２４に係止するよう形成した、係止用突起である。ストッパー２７は、例えばＰＰまたはＰＯＭ等弾性変形の容易な樹脂により射出成形することで、係止用突起２７ｂを上面から押圧することで、容易に弾性変形し、下方へ傾斜するよう形成されている。次にボトルポケット２３の扉内板３への装着について説明する。ボトルポケット２３を手に取り側面フランジ２３ａを扉内板３の土手段差部１３に沿わせるよう前方より、扉内板後壁３ｆ側に挿入する。ボトルポケット底面２３ｄが、係止用突起２７ｂに当接すると、ボトルポケット底面２３ｄの押圧力で、係止用突起２７ｂが、下方へ傾斜するよう弾性変形し、ポケット係止穴２４に係止用突起２７ｂが嵌め込まれると同時に、係合用ストッパーの弾性変形が解除され、ポケット係止穴２４に係止用突起２７ｂが係止支持される。この状態では、実施の形態１にて述べた食品荷重による、側面フランジ２３ａの内側方向のたわみについては背面フランジ２３ｅにより支持されるので、係合用傾斜面１７や係合用傾斜リブ１４等は不要である。ボトルポケット２３の外し方は、係止用突起２７ｂを指で押圧して、下方に弾性変形させポケット係止穴２４の係合を解除した状態で手前に引き抜くことによりボトルポケット２３の支持が解放される。
上記実施の形態では扉内板３とボトルポケット２３の係合を、ポケット係止穴２４と係止用突起２７ｂにて、係止用突起２７ｂをボトルポケット底面２３ｄ側より押圧するよう示したが、係合用ストッパー２７側より、指を掛けて、係合、支持、解除するよう構成してもよい。また上記実施の形態ではボトルポケット２３の背面フランジ２３ｆを側面フランジ２３ａと同一の高さで示したが材料費削減によるコストダウンとして、両側面を残して傾斜または段差を付けて、低くしてもよく、要は扉内板後壁３ｆに形成した背面段差部の上端と、ボトルポケット２３背面フランジ後端が係合すれば、食品収容時の支持強度が確保される。
【００２２】
実施の形態６．
この発明における冷蔵庫扉のポケットの係合支持を、ポケット底部裏面側に扉内板とともに形成したことと、ポケットの側面フランジと扉内板、土手部内側が面一としたことで、収容容器の支持構造に伴うデッドスペースが発生しないとともに、ポケットのツバが不要なため、透明樹脂による意匠性の低下も防止できる。
【００２３】
この発明に係る冷蔵庫扉の収容容器支持構造は、ポケットの着脱時の係止をポケット底部裏面と扉内板横方向の土手面に相互して形成した凹と凸による嵌合とするとともに、扉内板土手部をポケットの幅とほぼ同一でかつ、ポケットの側面フランジと面一にもぐり込ませるための断差部を形成し、ポケットの側面フランジ後端、縦壁部を扉内板とともにＺ状嵌合を形成したものである。更にこの発明の製造方法の内、扉内板を射出成形または射出圧縮成形にて形成するものである。
【００２４】
実施の形態７．
この発明は、冷蔵庫庫内側に複数の土手を設け、冷蔵庫庫外側（断熱材側）に複数のアンカー等を設けた冷蔵庫扉内板３に関するものであり、上記扉内板３は射出成形または射出圧縮成形にて成形したものである。
図１２は上記射出成形による上記扉内板３の成形の流れを示したフローチャートである。図１３は上記射出圧縮成形による上記扉内板３の成形の流れを示したフローチャートであり、相違点は、射出圧縮成形で、樹脂充填後に再度型締め工程を追加している。
図１４はアンカー片３０を成形するための構造を示す。上記射出成形及び上記射出圧縮成形法の要部工程を示す図であり、図１４（ａ）は製品を取り出した後の型開き時であり、スライド駒３６が右方向に移動している。図１４（ｂ）は型締め、樹脂充填時の工程を示し、スライド駒３６が左方向に移動し、Ｌ字状の樹脂を充填するための空間部４１が形成され、この空間部４１に樹脂が充填されアンカー片３０が扉内板３と一体に形成される。
図１４（ｃ）は製品（アンカー片３０を一体に成形した扉内板３）取り出し時の工程を示し、スライド駒３６は図１４（ａ）と同様に右側へ移動しており、アンカー片３０部分が、型開き時干渉しないよう構成されているので、扉内板３の取り出しが可能である。
上記の説明は射出成形及び射出圧縮成形のいづれにおいてもほぼ同様であるが、射出圧縮成形の特異な点を説明する。金型を予め隙間のある状態まで型締めし、その状態で樹脂を充填すると、隙間の分だけ樹脂の充填空間が拡大されるため樹脂の射出圧力が少なくて済む。また、この状態では、樹脂が金型全体に充填されないので、次に隙間を設けない状態まで圧縮するように型締めを行い、充填空間が拡大している部分に充填されている樹脂を金型全体に圧縮し移動させ、扉内板を成形する。
上記射出圧縮成形による扉内板３の成形法は、圧縮するための型締め工程が加わることにより、扉内板外周に形成された弾性変形の容易な断熱材シール用パッキン部等の薄肉部を設けても、圧縮による型締めによる樹脂充填は容易である。従来の射出成形では薄肉部へ樹脂を充填する場合、成形圧力を上げて樹脂充填をする必要があり、寸法のバラツキや充填不良が発生する等の不具合が生じるが、それを解消するものである。
図１５（ａ）、図１５（ｂ）は従来の真空成形の成形法であり、加熱した樹脂シートを金型にのせ、吸気するものであるが、シートの板厚寸法のバラツキが生じる。
【００２５】
実施の形態８．
図１６は上記射出成形または上記射出圧縮成形により成形された扉内板３に一体に設けられたアンカー片３０を備えた冷蔵庫扉の収容容器支持構造を示す図である。図において、３０は断面がＬ字状であるアンカー片で、扉内板の横方向の土手３ｂの断熱材側に設けられたものである。
上記アンカー片３０を設けることにより、断熱材をアンカー部に充填させ、扉内板と断熱材の密着強度をより向上させ、食品荷重などによる扉内板と断熱材との剥離方向の応力に対し、十分な強度を確保することができる。
【００２６】
実施の形態９．
図１７は上記射出成形または上記射出圧縮成形により成形された扉内板３に一体に設けられたアンカーリブ３１を備えた冷蔵庫扉の収容容器横断面であり、図１８は係合用傾斜リブ部１４の詳細断面図である。図において、３１はアンカーリブで、扉内板３の土手内壁３ｄの断熱材側に設けられたものである。
上記アンカーリブ３１を設けることにより、扉内板３の土手部３ｄのポケット取付部の土手段差部の薄肉部を、アンカーリブ３１を断熱材で保持することにより強度を向上させることができる。
【００２７】
実施の形態１０．
図１９は上記射出成形または上記射出圧縮成形により成形された扉内板３に一体に設けられた凹状溝を備えた扉内板の断熱材側の斜視図である。図２０は図１９の要部斜視図であり、凹状溝３２を示している。また、図２１は凹状溝３２を備えた冷蔵庫扉３の収容容器支持構造を示す図で、図２２は図２１の係合用ストッパー取付部のＢ−Ｂ断面図でありＬ字状のアンカー片３０ａの断面図である。図において、３２は凹状溝で、扉内板３の外周フランジの断熱材側に凹状溝を形成したものである。
上記凹状溝３２は、ドアサッシ１２と、扉内板３外周との載置面からの断熱材の洩れを防止するために形成されたもので、凹凸形状になるよう凹状溝３２を形成し、断熱材の洩れる沿面距離を延長することにより断熱材の洩れを凹凸の途中で止めることができる。
【００２８】
実施の形態１１．
図２３（ａ）は上記射出成形または上記射出圧縮成形により成形された扉内板３に一体に設けられたパッキン部３３を備えた扉内板の断熱材側の斜視図である。図２３（ｂ）は図２３（ａ）の要部拡大斜視図であり、パッキン部３３を拡大し詳細を示している。
上記パッキン部３３を設けることにより、上記ドアサッシ１２と、扉内板３外周との載置面からの断熱材の洩れ防止を確実にすることができ、ＰＰ等のオレフィン系材料を利用することで、弾性変形が容易なパッキン部３３を形成し、断熱材充填発泡時の変形防止用の治具によりパッキン部３３がフラットとなるよう押圧することで、パッキン部３３が平坦になり、ドアサッシに密着することにより、シール性が改善される。
【００２９】
実施の形態１２．
図２４は補強鉄板３４、切り起こし部３５を備えた扉内板の断熱材側の斜視図である。図は、扉内板３の断熱材側に配設した補強鉄板３４に設けられた切り起こし部３５を上記射出成形または上記射出圧縮成形により成形された扉内板３に一体に設けられたアンカー片３０に係合させたものである。それにより、冷蔵庫扉として、断熱材の収縮に伴う、反り、ひねり等の変形を防止する目的で、装着する補強鉄板３４をアンカー片３０に係合させることで、固定するテープ等を廃止することができる。
図２５（ａ）、図２５（ｂ）、図２５（ｃ）は補強鉄板３４の取り付け方法を示し、扉内板３を側面から見た断面図である。補強鉄板３４の切り起こし部３５がＬ字状のアンカー片３０の下端に当接すると、切り起こし部３５が弾性変形し図の矢印方向に移動し、アンカー片３０の下端を通過後、切り起こし部３５が復帰することでアンカー片３０の内側壁に当接されて、補強鉄板３４が保持される。この係合構造を複数組配置し、係合方法を逆向きとすることで、位置決めが可能となる。
【００３０】
【発明の効果】
この発明に係る冷蔵庫扉は、冷蔵庫扉のポケットを支持するための係止部を扉内板内側の食品収容側へ飛び出すこと無く、食品収容部を有効に活用できる。
【００３１】
また、この発明に係る冷蔵庫扉は、土手内壁とポケットの側面内壁がほぼ面一に形成されているので、食品収納有効面が、扉内板の左右の土手内壁間全幅を利用でき、デッドスペースが発生しない。
【００３２】
また、この発明に係る冷蔵庫扉は、扉開閉時の回転モーメントにより、食品荷重がポケット前面部に当接し、前方向にたわむとその反動で側面部が内側方向にたわもうとするが、係合用傾斜面が、係合用傾斜リブに係止されているので、外れることなく安定に固着される。
【００３３】
また、この発明に係る冷蔵庫扉は、ポケットを扉内板に装着する際、土手段差部に沿わせて前方よりポケットの側面部を挿入する時、側面部後端の係合用上辺傾斜面の傾斜分、側面部の高さが低いので、係合用傾斜面が、扉内板の係合用傾斜リブの位置まで挿入して初めて支持されるので、挿入時の挿入力が少なくて済むと共に、ポケット底面後端が、突起に乗り上げるよう弾性変形する間隔が少ないため、ポケットの着脱に伴なう突起の摩耗の低下が図れる。
【００３４】
また、この発明に係る冷蔵庫扉は、ポケット下面のポケット係止用凹溝と、ポケット下面後端間に台形状突起当接防止溝を設けたことにより、ポケットの装着時の挿入力がより少なくて済む等の効果を奏する。
【００３５】
また、この発明に係る冷蔵庫扉は、ポケットのポケット下面の射出成形時のソリ等による上方向へのハネ上がりによるポケット係止部への係合を確実に矯正する等の効果を奏する。
【００３６】
また、この発明に係る冷蔵庫扉は、冷蔵庫扉のポケットを支持するための係止部を扉内板内側の食品収容側へ飛び出すこと無く、食品収容部を有効に活用できるとともに、ポケットの着脱を簡単に確実に行なうことができる。
【００３８】
また、この発明に係る冷蔵庫扉は、アンカー片を設けることにより、断熱材をアンカー部に充填させ、扉内板と断熱材の密着強度をより向上させ、食品荷重などによる扉内板と断熱材との剥離方向の応力に対し、十分な強度を確保することができる。
【００３９】
また、この発明に係る冷蔵庫扉は、アンカーリブを設けることにより、扉内板土手部のポケット取付部の土手段差部の薄肉部を、アンカーリブを断熱材で保持することにより強度を向上させることができる。
【００４０】
また、この発明に係る冷蔵庫扉は、凹凸形状になるよう凹状溝を形成し、断熱材の洩れる沿面距離を延長することにより断熱材の洩れを凹凸の途中で止めることができる。
【００４１】
また、この発明に係る冷蔵庫扉は、パッキン部を設けることにより、ドアサッシと、扉内板外周との載置面からの断熱材の洩れ防止を確実にすることができる。
【００４２】
また、この発明に係る冷蔵庫扉は、冷蔵庫扉として、断熱材の収縮に伴う、反り、ひねり等の変形を防止する目的で、装着する補強鉄板をアンカー片に係合させることで、固定するテープ等を廃止することができる。
【図面の簡単な説明】
【図１】  この発明の一実施例による冷蔵庫扉の収容容器支持構造を示す要部断面斜視図である。
【図２】  図１のＡ−Ａ断面図である。
【図３】  図１の要部正面図である。
【図４】  図１に対応するポケットを取り外した状態を示す要部断面斜視図である。
【図５】  ポケット単体を背後側より示す要部断面斜視図である。
【図６】  他の実施例を示す、図１相当の要部断面斜視図である。
【図７】  他の実施例を示す、図４相当の要部断面斜視図である。
【図８】  他の実施例を示す、図５相当の要部断面斜視図である。
【図９】  他の実施例のボトルポケットの支持構造を示す要部断面斜視図である。
【図１０】  図９に対応するボトルポケットを取り外した状態を示す要部断面斜視図である。
【図１１】  図９の係合用ストッパー取付部のＢ−Ｂ断面図である。
【図１２】  この発明の射出成形のフローチャート図である。
【図１３】  この発明の射出圧縮成形のフローチャート図である。
【図１４】  この発明の射出成形及び射出圧縮成形の成形法を示す図である。
【図１５】  真空成形法を示す図である。
【図１６】  冷蔵庫扉の収容容器支持構造を示す要部断面図である。
【図１７】  この発明の冷蔵庫扉の収容容器断面図である。
【図１８】  図１７の係合用傾斜リブの詳細断面図である。
【図１９】  この発明の扉内板の断熱材側の斜視図である。
【図２０】  図１９の要部斜視図である。
【図２１】  この発明の冷蔵庫扉の収容容器断面図である。
【図２２】  図２１の係合用ストッパー取付部のＢ−Ｂ断面図である。
【図２３】  この発明の扉内板の断熱材側の斜視図である。
【図２４】  この発明の扉内板の断熱材側の斜視図である。
【図２５】  この発明の補強鉄板を取付方法を示す、要部断面図である。
【図２６】  従来の冷蔵庫扉の収容容器支持構造を示す、要部斜視図である。
【図２７】  図２６のＤ−Ｄ縦断面図である。
【図２８】  図２６のＣ−Ｃ横断面図である。
【図２９】  図２７のＥ−Ｅ縦断面図である。
【符号の説明】
１  扉本体、２  扉外板、３  扉内板、３ａ  土手、３ｂ  横方向の土手、３ｃ  土手先端、３ｄ  土手内壁、３ｅ  傾斜壁、３ｆ  扉内板後壁、３ｇ  位置決め用段部、４  断熱材、５  取付ネジ、６  ポケット、６ａ  側面フランジ、６ｂ  前面フランジ、６ｃ  側面フランジ内壁、６ｄ  ポケット底面、６ｅ  ポケット底面後端、７  係止突起、８  側面突起、９  係止溝、１０  当接用ツバ部、１０ａ  肉ヌスミ用凹、１１  ドアキャップ、１２  ドアサッシ、１３  土手段差部、１４  係合用傾斜リブ、１５  台形状突起、１６  ポケット係止用凹溝、１７  係合用傾斜面、１８  係合用上辺傾斜リブ、１９  係合用上辺傾斜面、２０  台形状突起当接防止溝、２１  底面係合用傾斜面、２２  浮き上り防止リブ、２３  ボトルポケット、２３ａ  側面フランジ、２３ｂ  前面フランジ、２３ｄ  ボトルポケット底面、２３ｅ  背面フランジ後端、２３ｆ  背面フランジ、２４  ポケット係止穴、２５  背面段差部、２６  ストッパー係合用凹部、２６ａ  抜け止め用リブ、２６ｂ  角穴、２７  係合用ストッパー、２７ａ  フック、２７ｂ  係止用突起、２７ｃ  支持リブ、３０  Ｌ字状アンカー片、３０ａ  Ｌ字状アンカー片、３１  アンカーリブ、３２  凹状溝、３３  パッキン部、３４  補強鉄板、３５  切り起こし部、３６  駒、３７  金型、３８  金型、３９  樹脂、４０  樹脂シート、４１  空間部。
【図１】
0003657341.tif 000002
【図２】
0003657341.tif 000003
【図３】
0003657341.tif 000004
【図４】
0003657341.tif 000005
【図５】
0003657341.tif 000006
【図６】
0003657341.tif 000007
【図７】
0003657341.tif 000008
【図８】
0003657341.tif 000009
【図９】
0003657341.tif 000010
【図１０】
0003657341.tif 000011
【図１１】
0003657341.tif 000012
【図１２】
0003657341.tif 000013
【図１３】
0003657341.tif 000014
【図１４】
0003657341.tif 000015
【図１５】
0003657341.tif 000016
【図１６】
0003657341.tif 000017
【図１７】
0003657341.tif 000018
【図１８】
0003657341.tif 000019
【図１９】
0003657341.tif 000020
【図２０】
0003657341.tif 000021
【図２１】
0003657341.tif 000022
【図２２】
0003657341.tif 000023
【図２３】
0003657341.tif 000024
【図２４】
0003657341.tif 000025
【図２５】
0003657341.tif 000026
【図２６】
0003657341.tif 000027
【図２７】
0003657341.tif 000028
【図２８】
0003657341.tif 000029
【図２９】
0003657341.tif 000030